(57)【要約】【課題】精白度センサが故障しても、精白中の米穀が粉砕状態にならないようにする。【解決手段】精米中の米穀の精白度を検出する精白度センサ２２と、該精白度センサの出力に基づいて精米機を制御する運転制御手段２３と、を備えている精米機において；精米基準時間が設定されるタイマ手段Ｔを設け、該タイマ手段Ｔを前記運転制御手段２３に接続する。【選択図】　図１
2004008866.tif 000002
【特許請求の範囲】
【請求項１】
精米中の米穀の精白度を検出する精白度センサと、該精白度センサの出力に基づいて精米機を制御する運転制御手段と、を備えている精米機において；
精米基準時間が設定されるタイマ手段を設け、該タイマ手段を前記運転制御手段に接続したことを特徴とする精米機の安全制御装置。
【請求項２】
精米ホッパの排出口を精白室に連通し、その精白室の出口から戻し通路を経て前記精米ホッパに戻る循環通路を構成し、前記循環通路の途中に光学式の精白度センサを設け、該精白度センサに精米機を制御する運転制御手段を接続した循環式の精米機において；
精米基準時間が設定されるタイマ手段を設け、該タイマ手段を前記運転制御手段に接続したことを特徴とする精米機の安全制御装置。
【請求項３】
タイマ手段の出力により、運転制御手段が精米用モータを停止させることを特徴とする請求項１、又は２記載の精米機の安全制御装置。
【請求項４】
タイマ手段の出力により、運転制御手段が白米排出シャッタを開放させることを特徴とする請求項１、又は、２記載の精米機の安全制御装置。
【請求項５】
精米基準時間が、標準精白時間に余裕の時間を加えた時間に設定されていることを特徴とする請求項１、又は、２記載の精米機の安全制御装置。
【発明の詳細な説明】
【０００１】
【発明の属する技術分野】
この発明は、精白度センサを備えている精米機に関するもので、更に述べれば、精米機の安全制御装置に関するものである。
【０００２】
【従来の技術】
従来の循環式精米機は、精米中の米穀の精白度を検出する精白度センサと、該精白度センサの出力に基づいて精米機を制御する運転制御手段と、を備えている。この精米機では、前記米穀が設定精白度になると、精白度センサが検出信号を運転制御手段に出力し、この出力に基づいて前記運転制御手段は、精米用モータを停止させる。
【０００３】
【発明が解決しようとする課題】
従来例では、精白度センサが故障すると、所望精白度になっても、検出出力を運転制御手段に送出しない。そのため、精米用モータは、自動停止しないので、運転は継続される。そうすると、精白中の米穀は、粉砕状態となるので、食味が落ち、商品価値が激減する。
【０００４】
この発明は、上記事情に鑑み、精白度センサが故障しても精白中の米穀が粉砕状態にならない様にすることを目的とする。
【０００５】
【課題を解決するための手段】
この発明は、精米中の米穀の精白度を検出する精白度センサと、該精白度センサの出力に基づいて精米機を制御する運転制御手段と、を備えている精米機において；精米基準時間が設定されるタイマ手段を設け、該タイマ手段を前記運転制御手段に接続したことを特徴とする。
【０００６】
この発明は、精米ホッパの排出口を精白室に連通し、その精白室の出口から戻し通路を経て前記精米ホッパに戻る循環通路を構成し、前記循環通路の途中に光学式の精白度センサを設け、該精白度センサに精米機を制御する運転制御手段を接続した循環式の精米機において；精米基準時間が設定されるタイマ手段を設け、該タイマ手段を前記運転制御手段に接続したことを特徴とする。
【０００７】
この発明は、タイマ手段の出力により、運転制御手段が精米用モータを停止させたり、又は、タイマ手段の出力により、運転制御手段が白米排出シャッタを開放させることを特徴とする。
この発明の精米基準時間が、標準白度時間に安全時間を加えた時間に設定されていることを特徴とする。
【０００８】
【発明の実施の形態】
この発明は、精白度センサの出力に基づいて精米機を制御するのと並行して、精米基準時間を設定するタイマ手段により精白時間を監視する。そして、精米基準時間が経過しても、精白度センサが出力しない時には、このタイマ手段の出力に基づいて精米機を補助的に制御し、精米用モータを停止させたり、白米排出シャッタを開かせる。
【０００９】
【実施例】
この発明の実施例を図１〜図２により説明する。
精米ホッパ８の排出口９は、米穀シャッタ１１を介して入口通路７に連通し、この入口通路７は、精白室４の入口に連通している。
【００１０】
前記排出口９の壁面には、透明部１９が設けられ、該透明部１９の背面側には不透明ケース２１が設けられている。この不透明ケース２１には、精白度センサ２２が設けられている。この精白度センサ２２は、発光ダイオード２２ａとフォトダイオード２２ｂとからなる反射型光センサである。
【００１１】
発光ダイオード２２ａは、サンプリング回路２４を介して運転制御手段２３のＣＰＵ２５に接続され、又、フォトダイオ−ド２２ｂは平均値演算回路２６、比較回路２７、精白度判定回路２８を介してＣＰＵ２５に接続されている。このＣＰＵ２５には、精米用モータ２、シャッタモータ１４、タイマＴ及びメモリ２９が接続されている。このメモリ２９には、比較回路２７及びタイマ回路Ｔが接続されている。
【００１２】
米穀シャッタ１１には、ラック１２が設けられており、このラック１２はピニオン１３と螺合している。このピニオン１３はシャッタモータ１４の駆動により回転し、米穀シャッタ１１を開閉させる。
【００１３】
精白室４の出口は、戻り通路１５に連通し、この戻り通路１５は、精米ホッパ８の戻り口１６に連通している。戻り通路１５の下端部、即ち、精白室４の出口近傍には、白米を排出させる白米排出シャッタ１８が設けられ、その上部には、精白力を調節する抵抗突起装置１７が設けられている。
【００１４】
なお、図において、１は精米機を支持する機台、３は精白室４から落下する糠を収納するぬか受け室、５は精白室４に内蔵されている精白ロール、６は精白用モータ２のプーリと精白ロール５のプーリとを連結するベルト、をそれぞれ示す。
【００１５】
前述の様に、該精米ホッパ８、該精米ホッパ８の排出口９、該入口通路７、該精白室４、該戻り通路１５及び該戻り口１６は互いに連通し、米穀の循環通路を構成している。
【００１６】
次に、本実施の作動について説明する。
精米ホッパ８内に米穀Ｒを投入した後、図示しない操作盤の白度スイッチを押して所望の白度、例えば、「５分搗き」に設定すると共に、タイマ回路Ｔを所望精白度に対応する精米基準時間に設定する。この精米基準時間は、所望白度に要する通常の時間、即ち、標準精白時間に、余裕の時間を加えた時間であり、精白度センサが出力した後に、タイマ時間が満了する様に設定されている。例えば、標準精白時間が１０分で、余裕の時間が２分の場合には、両者の合計時間１２分が精米基準時間となる。
【００１７】
図示しない駆動スイッチをオンにすると、精米用モータ２が駆動し、精白ロール５を回転させる。そうすると、精米ホッパ８内の米穀Ｒは、シャッタ１１が開放されている排出口９から、入口通路７を経て精白室４内に入る。
そして、精白室４内の米穀Ｒは、該精白室４の出口から抵抗突起装置１７の抵抗を受けながら戻り通路１５内を上昇し、戻り口１６から精米ホッパ８内に戻る。
【００１８】
この様に、米穀Ｒは、循環通路を循環しながら精白されるが、その精白度は精白度センサ２２により検出されている。
精米ホッパ８に米穀Ｒが投入された段階において、サンプリング回路２４からは一定時間内サンプリングパルスを出力して、その周期に応じたパルス状の青色光を発光ダイオード２２ａから投光する。この青色光は、透明部１９に沿って落下する米穀Ｒに向かって照射され、その反射光はフォトダイオード２２ｂにより受光される。
【００１９】
フォトダイオード２２ｂは、受光した反射光を電気信号に変換して平均値演算回路２６に送出し平均値を演算する。その演算結果をＣＰＵ２５を通じてメモリ２９に電圧値として記憶する。
【００２０】
精米が進行して精白度の検知段階になると、前記と同様に一定時間サンプリングを行い、その受光量に応じた平均値を比較回路２７に入力してメモリ２９の基準値と比較する。
【００２１】
前記反射光量のレベル差を精白判定回路２８に出力し、所定の基準に従い、「５分搗き」「７分搗き」「白米」等の判定を行い、ＣＰＵ２５に出力する。
【００２２】
ＣＰＵ２５は、設定白度、例えば、「５分搗き」の判断が入力された時に、精米用モータ２を停止させ白米排出シャッタ１８を開き、一旦精米ホッパ８内の精米済みの米穀Ｒを図示しない器外の白米容器に排出する。その後精米モータ２を駆動して精白ロール５を回転し、精米ホッパ８内の精米済みの米穀Ｒを全て白米容器に排出する。
【００２３】
なお、タイマＴは、設定した精米基準時間を経過すると、タイムアップ信号をＣＰＵ２５に出力するが、既に精米用モータ２の停止信号が出力されているので、前記タイムアップ信号は無視される。
【００２４】
次に、精白度センサ２２が性能低下、又は、故障した場合について説明する。この場合には、標準精米時間が経過してもＣＰＵ２５に所望白度、例えば、「５分搗き」の判断が出力されない。
しかし、この場合、精米基準時間が経過すると、タイマＴからＣＰＵ２５にタイムアップ信号が出力されるので、該ＣＰＵ２５は、精米用モータ２を停止させる。これにより、精米機の精米作業は停止するので、米穀Ｒが粉砕状態になることはない。
【００２５】
この発明の実施例は、前記に限定されるものではなく、例えば、次の様にしても良い。
（１）精白度センサ２２が性能低下、又は、故障した場合において、ＣＰＵ２５にタイマＴからタイムアップ信号が出力された時に、最初に白米排出シャッタ１８を開かせて白米を器外に排出させ、そのた後、精米用モータ２を停止するように制御すること。
【００２６】
（２）精米機として、傾斜循環式精米機又は回転式精米機を用いること。
この傾斜循環式精米機は、精白室、精白ロール及び精白ロールに連結されている精米用モータの軸が、上向きに所定角度、例えば、３０度に傾斜している。　又、回転式精米機は、精米部の垂直円筒状の精米かごと、該精米かごに配置された回転羽根と、該回転羽根に連結された垂直状の精米用モータの回転軸と、を備えている。
【００２７】
（３）精白度センサとして、精米機に投入された米穀の重量の減少量から、精米の歩留まりと合わせて精白度を検知するもの（特許第２６２６９２４号参照）や、精米用モータの負荷電流の減少割合により精白度を検出するもの（特公平７−３２８８３号参照）等、を用いること。
【００２８】
【発明の効果】
この発明は、精米基準時間が設定されるタイマ手段を設け、該タイマ手段を前記運転制御手段に接続したので、精白度センサが故障しても運転は自動的に停止する。そのため、従来例と異なり、米穀が粉砕状態にならないので、食味の低下や商品価値の低下を防止することが出来る。
【図面の簡単な説明】
【図１】図１（ａ）は本発明の実施例を示す縦断面図である。図１（ｂ）は図１（ａ）の要部拡大図である。
【図２】精白度センサと運転制御手段の概略図である。
【符号の説明】
２　　精米用モータ
４　　精白室
７　　入口通路
８　　精米ホッパ
９　　排出口
１５　　戻り通路
１６　　戻り口
１８　　白米排出シャッタ
２２　　精白度センサ
２５　　　ＣＰＵ
Ｔ　　タイマ回路
【図１】
2004008866.tif 000003
【図２】
2004008866.tif 000004